(57)【要約】    【課題】ＴＶ受信機のような映像機器において放送番組の予約録画を設定すると、該映像機器に接続された映像録画機器が予約した放送番組を録画できるようにした映像機器及びこれを用いた予約録画方法を提供する。    【解決手段】映像機器１０は、無線データを受信する一方、放送番組を録画する一つ以上の映像録画機器を遠隔制御するための無線データを送信する無線送受信部１３と、前記一つ以上の映像録画機器の遠隔制御に必要な遠隔制御コードをメーカー別に保存するとともに、前記放送番組を予約録画するための予約録画情報を保存するメモリ部１９（１９ａ、１９ｂ）と、前記メモリ部に保存された予約録画情報に基づいて、前記映像録画機器の遠隔制御に必要な遠隔制御コードを前記メモリ部から読み出し、この読み出した遠隔制御コードを、前記無線送受信部を介して、前記映像録画機器に出力するように制御する制御部１２と、を含んで構成される。【選択図】図１
2006333476.tif 000002
【特許請求の範囲】
【請求項１】
無線データを受信する一方、放送番組を録画する一つ以上の映像録画機器を遠隔制御するための制御データを送信する無線送受信部と、
前記一つ以上の映像録画機器の遠隔制御に必要な遠隔制御コードをメーカー別に保存するとともに、前記放送番組を予約録画するための予約録画情報を保存するメモリ部と、
前記メモリ部に保存された予約録画情報に基づいて、前記映像録画機器の遠隔制御に必要な遠隔制御コードを前記メモリ部から読み出し、この読み出した遠隔制御コードを、前記無線送受信部を介して前記映像録画機器に出力するように制御する制御部と、
を含んで構成されることを特徴とする映像機器。
【請求項２】
前記予約録画情報は、予約録画時間、予約録画チャネルおよび予約録画を行う映像録画機器のうち少なくとも一つを含むことを特徴とする、請求項１に記載の映像機器。
【請求項３】
前記予約録画情報は、前記無線データを送信する無線データ発生部、ローカルキーまたは電子番組ガイド（ＥＰＧ）を介して入力され、前記制御部は、この入力された予約録画情報を前記メモリ部に保存させることを特徴とする、請求項２に記載の映像機器。
【請求項４】
前記映像録画機器が、専用のデータケーブル、ＩＥＥＥ１３９４ケーブルまたは高解像度マルチメディアインターフェース（ＨＤＭＩ）で接続されることを特徴とする、請求項１に記載の映像機器。
【請求項５】
前記遠隔制御コードは、前記映像録画機器に電源のオン、オフを行わせる電源オン／オフコード、前記映像録画機器に放送番組の録画動作を開始させる録画開始コードおよび前記映像録画機器に放送番組の録画動作を終了させる録画終了コードのうちの少なくとも一つを含むことを特徴とする、請求項１に記載の映像機器。
【請求項６】
チャネルを選択するチューナーと、
選択されたチャネルを通じて伝送された伝送ストリームからの映像情報を映像信号にデコーディングする映像デコーダ部と、
電子番組ガイド（ＥＰＧ）情報をディスプレイ部上に表示できるように処理するオンスクリーンディスプレイ（ＯＳＤ）処理部と、
前記映像信号を前記ディスプレイ部上に表示できるように処理する映像処理部と、
前記処理された映像信号および前記電子番組ガイド情報を表示するディスプレイ部と、
前記映像録画機器との間で送受信されるデータをインターフェーシングするインターフェース部と、
をさらに含んで構成されることを特徴とする、請求項１に記載の映像機器。
【請求項７】
前記制御部は、映像録画機器の選好度順に前記メーカー別の遠隔制御コードを読み出して出力することを特徴とする、請求項１に記載の映像機器。
【請求項８】
無線データを受信する無線受信部と、
通信ケーブルで接続される一つ以上の映像録画機器の制御に必要な制御コードをメーカー別に保存するとともに、放送番組を予約録画するための予約録画情報を保存するメモリ部と、
前記通信ケーブルを介して前記映像録画機器との間で前記予約録画情報を含む情報のインターフェーシングを行うインターフェース部と、
前記メモリ部に保存された予約録画情報に応じて、前記映像録画機器の制御に必要な制御コードを前記メモリ部から読み出し、この読み出した制御コードを、前記ケーブルを介して前記映像録画機器に出力するように制御する制御部と、
を含んで構成されることを特徴とする、映像機器。
【請求項９】
放送番組を予約録画するための予約録画情報が映像機器に保存されると、該映像機器と通信ケーブルで接続されている映像録画機器を検索する段階と、
前記検索された映像録画機器の中から前記放送番組が録画される映像録画機器を選択する段階と、
前記放送番組の予約録画時間になると、前記映像機器から前記選択された映像録画機器に録画動作に関連する制御信号を順次発出力して前記放送番組の録画を行う段階と、
を含んで構成されることを特徴とする、映像機器を用いた予約録画方法。
【請求項１０】
前記映像機器を遠隔制御する無線信号を発生する無線信号発生部、前記映像機器に設けられたローカルキーまたは電子番組ガイドを介して、前記放送番組の予約録画時間およびチャネルが入力され、この入力された予約録画時間およびチャネルが前記予約録画情報として前記映像機器のメモリ部に保存されることを特徴とする、請求項９に記載の映像機器を用いた予約録画方法。
【請求項１１】
前記映像録画機器を選択する段階は、
前記映像録画機器が複数あるか否かを判断する段階と、
前記映像録画機器が複数ある場合に、該複数の映像録画機器の名称および通信ケーブル名を表示する段階と、
選択された映像録画機器のケーブル接続状態が正常であるか否かを確認する段階と、
を含んで構成されることを特徴とする、請求項９に記載の映像機器を用いた予約録画方法。
【請求項１２】
前記予約録画を行う段階は、
前記放送番組の予約録画開始時刻になると、前記映像機器の制御部が該映像機器のメモリ部から前記映像録画機器に電源をオンさせる電源オンコード、前記映像録画機器に録画動作を開始させる録画開始コードを読み出し、この読み出した電源オンコードおよび録画開始コードを、該映像機器の無線送信部を介して、前記映像録画機器の無線受信部に順次出力する段階と、
前記放送番組の録画終了時間になると、前記映像機器の制御部が該映像機器のメモリ部から前記映像録画機器に録画動作を終了させる録画終了コード、前記映像録画機器に電源をオフさせる電源オフコードを読み出し、この読み出した録画終了コードおよび電源オフコードを、該映像機器の無線送信部を介して、前記映像録画機器の無線受信部に順次出力する段階と、
を含んで構成されることを特徴とする、請求項９に記載の映像機器を用いた予約録画方法。
【請求項１３】
前記映像機器のメモリ部は、前記電源オンコード、前記録画開始コード、前記録画終了コードおよび前記電源オフコードを、映像録画機器のメーカー別に保存していることを特徴とする、請求項１２に記載の映像機器を用いた予約録画方法。
【請求項１４】
映像機器に表示される電子番組ガイドにより予約録画する放送番組を選択する段階と、
予約録画する放送番組が選択されると、該選択された放送番組を録画する映像録画機器を選択するための録画機器選択画面を前記映像機器に表示する段階と、
選択された映像録画機器に伝送する遠隔制御信号の無線コードをメーカー別にソーティングする段階と、
前記予約録画する放送番組に関する予約録画情報を保存する段階と、
前記放送番組の予約録画時間になると、前記映像機器が前記映像録画機器に録画動作と関連する制御信号を順次出力して前記放送番組の録画を行う段階と、
を含んで構成されることを特徴とする、映像機器を用いた予約録画方法。
【請求項１５】
前記無線コードをメーカー別にソーティングする段階は、
前記映像機器と映像録画機器との間が専用のケーブルで接続されている場合に、前記映像録画機器のメーカー選好度順に前記無線コードのソーティングを行うことを特徴とする、請求項１４に記載の映像機器を用いた予約録画方法。
【請求項１６】
前記録画機器選択画面を前記映像機器に表示する段階は、
前記映像録画機器が複数ある場合に、該複数の映像録画機器の名称およびその接続ケーブル名を表示する段階と、
選択された映像録画機器のケーブル接続状態が正常であるか否かを確認する段階と、
を含んで構成されることを特徴とする、請求項１４に記載の映像機器を用いた予約録画方法。
【請求項１７】
前記予約録画情報を保存する段階は、
前記選択された放送番組の詳細予約情報を追加するか否かを確認する段階と、
前記詳細予約情報を追加する場合に、前記選択された放送番組の映像に対して主映像、副映像およびマルチビューのうち一つ以上を選択し、または前記放送番組の音声に対して主音声と副音声とのうち一つ以上を選択する段階と、
前記放送番組の映像に対する選択結果、前記放送番組の音声に対する選択結果を含む前記予約録画情報を保存する段階と、
を含んで構成されることを特徴とする、請求項１４に記載の映像機器を用いた予約録画方法。
【請求項１８】
前記選択された放送番組が有料放送番組であるか否かを確認する段階をさらに含んで構成されることを特徴とする、請求項１７に記載の映像機器を用いた予約録画方法。
【発明の詳細な説明】
【技術分野】
【０００１】
本発明は、例えばＴＶ（television）受信機のような映像を表示する映像機器に関し、特に、映像機器において放送番組の予約録画を設定すると、該映像機器に接続された映像記録機器が予約した放送番組を録画できるようにした映像機器及びこれを用いた予約録画方法に関する。
【背景技術】
【０００２】
カラーＴＶ放送が開始されて以来、ステレオ音響、リモートコントロール装置、字幕放送、データ通信などの一部にデジタル技術が導入されてきており、９０年代に入ってからはコンピュータやネットワーク技術がより急速に普及し、放送分野においてもＴＶの高画質化と多機能化を実現させるデジタルＴＶ（ＤＴＶ）を追求するようになってきた。
【０００３】
ＴＶ放送は、不特定多数を対象とする大衆媒体であるところ、これをデジタル方式に切り換えると全ての要素（映像、音声、データ）をデジタルデータとして取り扱うことになるため、コンピュータデータと同様に圧縮等の処理が可能となって、様々な面で有利となる。また、映像と音声とをデジタルで信号処理すると、デジタルデータ形態の情報となり、ここに付加的なデータを追加して送ることも可能になる。
【０００４】
したがって、現在のチャネル一つに、ＨＤＴＶ（ハイビジョン）級の高解像度の番組一つと、ＳＤＴＶ級の標準解像度の番組三つ以上とを伝送することも可能なり、しかも、デジタルで信号を伝達し、加工するため、非常にきれいな画面を楽しむことができる。さらに、電波が障害物に反射されて現れる多重映り（ゴースト）現象なども解決可能であり、特に、ＨＤＴＶチャネルでは、映画館でしか楽しめなかったリアリティあふれる画面と立体音響とを家庭でも楽しめるようになる。
【０００５】
このようなデジタルＴＶ放送を受信するＴＶ受信機（デジタルＴＶ）は、基本的には、リモートコントロール装置（以下、単に「リモコン」という。）のようなユーザ入力装置と、音声（audio）情報および映像（video）情報（以下、「音声・映像情報」という。）をデコーディングするＡ／Ｖ処理部と、付加サービス情報（service information）から様々なチャネル情報を分離するデータ処理部と、該分離したチャネル情報を保存するデータベースと、ＴＶの動作および電子番組ガイド（ＥＰＧ：Electronic Program Guide）の表示を制御する制御部と、を含んで構成される。
【０００６】
デジタルＴＶは、デジタル放送信号を受信すると、まず逆多重化部が該デジタル放送信号から音声・映像情報と付加サービス情報とを分離する。
【０００７】
分離された音声・映像情報はＡ／Ｖ処理部に入力され、付加サービス情報はデータ処理部に入力される。ここで、付加サービス情報は、一般に、ＰＡＴ（Program Association Table）、ＴＤＴ（Time Date Table）／ＴＯＴ（Time Offset Table）、ＥＩＴ（Event Information Table）などを含。なお、ＰＡＴは複数の番組に関する情報を含んでおり、ＴＤＴ／ＴＯＴは各番組の時間情報を含んでいる。そして、ＥＩＴは各番組のタイトル、あらすじ、視聴率、番組の開始時間／終了時間、放映時間などの情報を含んでいる。
【０００８】
データ処理部は、付加サービス情報からＥＩＴを分離し、設定されたフォーマットでデータベースに保存する。
【０００９】
以下、添付の図面を参照して従来のデジタルＴＶにおける電子番組ガイド（ＥＰＧ）について説明する。
【００１０】
図９は、デジタルＴＶに表示される一般的なＥＰＧ画面を示す図で、図１０は、図９のＥＰＧ画面で特定のチャネルが選択された時の状態を示す図である。
【００１１】
図９に示すように、ＥＰＧ画面には、チャネル、番組の順序および番組放送時間等の放送番組の一覧が表示される。
【００１２】
ここで、視聴者（viewer）が図９のＥＰＧ画面においてＭＢＣ  ＴＶ（ＣＨ３）を選択すると、ＥＰＧ画面は、ＭＢＣ  ＴＶで放送が予定されている現在の番組および次の番組の詳細情報を提供する。
【００１３】
また、保存された付加サービス情報は、図９及び図１０に示すように、ユーザの要求に応じて、各チャネルの現在の番組および次の番組を含むＥＰＧ画面を通じて提供される。また、ＥＰＧ画面は、複数のチャネルの放送番組の一覧と、現在の時間情報と、番組のタイトル（Ａ）、番組の放送時間（Ｂ）、および番組のあらすじ（Ｃ）などを提供する。
【００１４】
ユーザは、ＥＰＧ画面を介して現在の放送番組を選択したり、放送番組の予約録画を設定したりすることができる。
【００１５】
そして、ＥＰＧ画面を介して予約録画が設定されると、デジタルＴＶの制御部は、設定された時間になると、内蔵されたメモリ装置であるハードディスク（ＨＤＤ）などに予約番組を録画することになる。
【発明の開示】
【発明が解決しようとする課題】
【００１６】
しかしながら、デジタルＴＶにハードディスク（ＨＤＤ）が内蔵されていない場合に予約録画行う場合には、該デジタルＴＶに接続されているＶＣＲやＤＶＤレコーダ等の別に設けた映像録画機器において放送番組の予約録画を設定しなければならない。
【００１７】
すなわち、デジタルＴＶ等の映像機器自体が予約録画機能を有していなかったり、メモリ装置を内蔵していなかったりする場合には、たとえＥＰＧが提供されたとしても、このＥＰＧを利用して映像機器で予約録画を行うことができない。
また、ＶＣＲやＤＶＤレコーダ等の別に設けた映像記録機器によって放送番組を予約録画する場合には、ＥＰＧを介して映像機器で直接予約録画する場合に比べて、ユーザにとってその操作が面倒なものであった。
【００１８】
本発明は、上記問題を解決するためになされたものであり、その目的は、ＴＶ受信機のような映像機器で放送番組の予約録画を設定することによって、その予約した放送番組を別の映像録画機器で録画できるようにした映像機器及びこれを用いた予約録画方法を提供することにある。
【課題を解決するための手段】
【００１９】
上記目的を達成するために、本発明に係る映像機器は、無線データを受信する一方、放送番組を録画する一つ以上の映像録画機器を遠隔制御するための制御データを送信する無線送受信部と、前記一つ以上の映像録画機器の遠隔制御に必要な遠隔制御コードをメーカー別に保存するとともに、前記放送番組の予約録画を行うための予約録画情報を保存するメモリ部と、前記メモリ部に保存された予約録画情報に基づいて、前記映像録画機器の遠隔制御に必要な遠隔制御コードを前記メモリ部から読み出し、この読み出した遠隔制御コードを、前記無線送受信部を介して前記映像録画機器に出力するように制御する制御部と、を含んで構成されることを特徴とする。
【００２０】
ここで、前記予約録画情報は、予約録画時刻、予約録画チャネルおよび予約録画を行う映像記録機器のうち少なくとも一つ以上含むことが好ましい。
【００２１】
また、前記予約録画情報は、前記無線データを送信する無線データ送信部、ローカルキーまたは電子番組ガイド（ＥＰＧ）を介して入力されることが好ましい。
【００２２】
また、前記映像録画機器は、専用のデータケーブル、ＩＥＥＥ１３９４ケーブルまたは高解像度マルチメディアインターフェースで接続されることが好ましい。
【００２３】
また、前記遠隔制御コードは、前記映像録画機器に電源のオン、オフを行わせる電源オン／オフコード、前記映像録画機器に放送番組の録画動作を開始させる録画開始コードおよび前記映像録画機器に放送番組の録画動作を終了させる録画終了コードのうちの少なくとも一つを含むことが好ましい。
【００２４】
さらに、本発明に係る映像機器は、チャネルを選択するチューナーと、選択されたチャネルを通じて伝送された伝送ストリームからの映像情報を映像信号にデコーディングする映像デコーダ部と、電子番組ガイド情報を表示できるように処理するオンスクリーンディスプレイ処理部と、前記映像信号を表示できるように処理する映像処理部と、前記処理された映像信号および電子番組ガイド情報を表示するディスプレイ部と、前記映像録画機器との間で送受信されるデータをインターフェーシングするインターフェース部と、をさらに含んで構成されることが好ましい。
【００２５】
また、前記制御部は、前記映像録画機器の選好度順に前記メーカー別の遠隔制御コードを読み出して出力することが好ましい。
【００２６】
また、本発明に係る映像機器は、無線データを受信する無線受信部と、通信ケーブルによって接続される一つ以上の映像録画機器の制御に必要な制御コードをメーカー別に保存するとともに、放送番組の予約録画を行うための予約録画情報を保存するメモリ部と、前記通信ケーブルを介して前記映像録画記録機器との間で前記予約録画情報を含む情報のインターフェーシングを行うインターフェース部と、前記メモリ部に保存された予約録画情報に応じて、前記映像録画機器の制御に必要な制御コードを前記メモリ部から読み出し、この読み出した制御コードを、前記ケーブルを介して前記映像録画機器に出力するように制御する制御部と、を含んで構成される。
【００２７】
さらに、本発明に係る映像録画機器を用いた予約録画方法は、放送番組を予約録画するための予約録画情報が映像機器に保存されると、該映像機器と通信ケーブルで接続されている映像録画機器を検索する段階と、前記検索された映像録画機器の中から前記放送番組が録画される映像録画機器を選択する段階と、前記放送番組の予約録画時間になると、前記映像機器から前記選択された映像録画機器に録画動作と関連する制御信号を順次出力して前記放送番組の録画を行う段階と、を含んで構成されることを特徴とする、映像機器を用いた予約録画方法を提供する。
【００２８】
ここで、前記映像録画機器を検索する段階は、前記映像機器を遠隔制御する無線信号を発生する無線信号発生部、前記映像機器に設けられたローカルキーまたは前記映像機器に表示される電子番組ガイドを介して、前記放送番組の予約録画時間およびチャネルが入力され、この入力された予約録画時間およびチャネルが前記予約録画情報として前記映像機器のメモリ部に保存されるのが好ましい。
【００２９】
また、前記映像録画機器を選択する段階は、前記映像録画機器が複数あるか否か判断する段階と、前記映像録画機器が複数ある場合に、該複数の映像録画機器の名称および通信ケーブル名を表示する段階と、選択された映像録画機器へのケーブル接続状態が正常であるか否かを確認する段階と、を含んで構成されることが好ましい。
【００３０】
また、前記予約録画を行う段階は、前記放送番組の録画開始時間になると、前記映像機器の制御部が該映像機器のメモリ部から前記映像録画機器に電源をオンさせる電源オンコード、前記映像録画機器に録画動作を開始させる録画開始コードを読み出し、この読み出した電源オンコードおよび録画開始コードを、前記映像機器の無線送信部を介して、前記映像録画機器の無線受信部に順次出力する段階と、前記放送番組の録画終了時間になると、前記制御部が前記メモリ部から前記映像録画機器の録画動作を終了させる録画終了コード、前記映像録画機器に電源をオフさせる電源オフコードを読み出し、この読み出した録画終了コードおよび電源オフコードを、前記映像機器の無線送信部を介して、前記映像録画機器の無線受信部に順次出力する段階と、を含んで構成されることが好ましい。
【００３１】
ここで、前記映像機器のメモリ部は、前記電源オンコード、前記録画開始コード、前記録画終了コードおよび前記電源オフコードを、前記映像録画機器のメーカー別に保存していることが好ましい。
【００３２】
さらにまた、本発明に係る映像機器を用いた予約録画方法は、映像機器に表示される電子番組ガイドにより予約録画する放送番組を選択する段階と、予約録画する放送番組が選択されると、該選択された放送番組を録画する映像録画機器を選択するための録画機器選択画面を表示する段階と、選択された映像録画機器に伝送する遠隔制御信号の無線コードをメーカー別にソーティングする段階と、前記予約録画する放送番組に関する予約録画情報を保存する段階と、前記放送番組の予約録画時間になると、前記映像機器が前記映像録画機器に録画動作と関連する制御信号を順次出力して前記放送番組の録画を行う段階と、を含んで構成されることを特徴とする。
【００３３】
ここで、前記無線コードをメーカー別にソーティングする段階は、前記映像機器と映像録画機器との間が専用のケーブルで接続されている場合に、前記映像録画機器のメーカー選好度順に前記無線コードのソーティングを行うことが好ましい。
【００３４】
また、前記映像録画機器選択画面をディスプレイ上に表示する段階は、前記映像録画機器が複数である場合に、該複数の映像録画機器の名称および通信ケーブル名を表示する段階と、選択された映像録画機器へのケーブル接続状態が正常であるか否かを確認する段階と、を含んで構成されることが好ましい。
【００３５】
また、前記予約録画情報を保存する段階は、前記選択された放送番組の詳細予約情報を追加するか否かを確認する段階と、前記詳細予約情報を追加する場合に前記選択された放送番組の映像に対して主映像、副映像およびマルチビューのうち一つ以上を選択し、または前記放送番組の音声に対して主音声と副音声とのうち一つ以上を選択する段階と、前記放送番組の映像に対する選択結果、前記放送番組の音声に対する選択結果を含む前記予約録画情報を保存する段階と、を含んで構成されることが好ましい。
【００３６】
ここで、前記選択された放送番組が有料放送番組であるか否かを確認する段階をさらに含んで構成されるのが好ましい。この場合、ユーザが前記詳細予約情報を追加することを選択した場合か、あるいは、有料放送番組である場合に、前記放送番組の映像、音声に対する選択が行われることになる。
【発明の効果】
【００３７】
本発明に係る映像機器及びこれを用いた予約録画方法によれば、次のような効果が得られる。
【００３８】
すなわち、放送番組を録画するためのメモリ装置が内蔵されていない映像機器（ＴＶ受信機等の映像表示機器）においても、該映像機器における操作によって放送番組の予約録画が可能になる。
【００３９】
したがって、提供されるＥＰＧを利用してユーザが映像機器を介して予約録画が実行できるため、ユーザの使い勝手のよさが向上する。
【発明を実施するための最良の形態】
【００４０】
以下、本発明の好適な実施形態を添付の図面を参照しつつ詳細に説明する。
【００４１】
図１は、本発明の第１実施形態に係る映像機器を説明するためのブロック図である。
本実施形態に係る映像機器１０は、チューナー１１、制御部１２、無線送受信部１３、映像デコーダ部１４、ＯＳＤ処理部１５、映像処理部１６、ディスプレイ部１７、インターフェース部１８、及びメモリ１９（第１メモリ部１９ａ及び第２メモリ部１９ｂ）を含んで構成される。
【００４２】
ここで、チューナー１１は、ユーザの望むチャネルを選択（選局）する。
【００４３】
無線送受信部１３は、外部からの遠隔制御に関連する無線データを受信したり、外部に遠隔制御に関連する無線データを送信したりする。例えば、赤外線（ＩｒＤＡ）方式や、ブルートゥース（Bluetooth）方式で無線データを送受信する。
【００４４】
映像デコーダ部１４は、選択されたチャネルを通じて伝送される伝送ストリーム（ＴＰ）からの映像情報をＲ、Ｇ、Ｂ映像信号にデコーディングする。
【００４５】
ＯＳＤ（On Screen Display）処理部１５は、伝送ストリームから付加サービス情報であるＥＰＧ情報を処理する。
【００４６】
映像処理部１６は、映像デコーダ部１４で処理されたＲ、Ｇ、Ｂ映像信号および／またはＯＳＤ処理部１５で処理されたＥＰＧ情報を、ディスプレイ部１７で映像および／またはＥＰＧ画面として表示できるように処理する。なお、ＥＰＧ情報については、ＯＳＤ処理部１５によってＥＰＧ画面として表示できるように処理されてもよい。
【００４７】
ディスプレイ部１７は、処理された映像信号および／またはＥＰＧ画面を表示する。
【００４８】
インターフェース部１８は、複数の映像録画機器５０，６０から受信した放送番組や映像記録機器５０のメモリ部５３に保存された放送番組に対して通信ケーブル３０、４０を介してインターフェーシングを行う。すなわち、映像録画機器５０、６０との間で信号のやりとりを行う。
【００４９】
メモリ部１９は、第１および第２メモリ部１９ａ，１９ｂで構成されている。
第１メモリ部１９ａは、映像録画機器５０，６０それぞれの遠隔制御に必要なコード（電源オン／オフコード、録画開始コード、録画終了コード等）をメーカー別に保存する。
【００５０】
第２メモリ部１９ｂは、ユーザによって選択された放送番組に対する予約録画情報（予約録画時間、予約録画チャネル等）と、予約録画する予約録画機器５０，６０のより詳細な設定内容（詳細予約設定内容であり、言い換えれば、選択された放送番組の詳細予約情報である）とを保存する。この詳細予約設定内容については添付の図３及び図４に基づいてより詳細に説明する。
【００５１】
制御部１２は、映像機器１０全体を制御し、第２メモリ部１９ｂに保存された予約録画情報に応じて、第１メモリ部１９ａに保存されている映像録画機器５０、６０の遠隔制御に必要なコードを、設定された順序に従って無線送受信部１３を介して、設定された映像録画機器５０，６０に出力する。
【００５２】
このような第１実施形態に係る映像機器１０では、ユーザが放送番組の予約録画のために映像機器１０を制御できる無線信号発生部２０（例えば、リモコン）を介して、ディスプレイ部１７を見ながら無線送受信部１３に予約録画のためのデータ（予約録画したい放送番組の放送年月日および時刻などの予約録画時間と放送チャネル等）を入力したり、ＥＰＧ画面を通じて放送番組を予約し、該放送番組を録画する映像録画機器５０，６０を選択したりすると、制御部１２では予約録画のためのデータと、録画を行う映像録画機器５０，６０情報と、を受けて、これらを第２メモリ部１９ａに保存する。もちろん、無線信号発生部２０の他、映像機器１０自体に取り付けられているローカルキー（local key）（図示せず）を用いた予約録画のためのデータ入力も当業者なら容易であろう。
【００５３】
そして、設定された予約録画時間、すなわち、録画開始時刻になると、制御部１２は、第１メモリ部１９ａから映像録画機器の遠隔制御に必要なコード（具体的には、映像録画機器に電源をオンさせる電源オンコードおよび録画動作を開始させる録画開始コード）をメーカー別に読み出し、これを順に無線送受信部１３を介して映像録画機器５０，６０の無線受信部５１へと出力する。
また、録画終了時刻になると、制御部１２は、第１メモリ部１９ａから映像録画機器の遠隔制御に必要なコード（具体的には、映像録画機器に録画動作を終了させる録画終了コードおよび電源をオフさせる電源オフコード）をメーカー別に読み出し、これを順に無線送受信部１３を介して映像録画機器５０，６０の無線受信部５１へと出力する。
【００５４】
ここで、メーカー別に制御コードを読み出して順に制御コードを出力する際に、映像録画機器５０，６０の選好度順（例えば、その国において多く販売された順）に出力されるように設定しておくことが好ましい。これにより、映像録画機器のメーカーが入力されていない場合であっても、より効率的に映像録画機器を制御することが可能となる。もちろん、あらかじめ映像録画機器のメーカーが入力されているような場合には、当該メーカーの制御コードを出力すればよい。
【００５５】
また、通信ケーブル３０，４０は、映像録画機器５０，６０の種類に応じてＶＣＲ、ＤＶＤ専用ケーブルにするか、ＩＥＥＥ１３９４ケーブルまたは高解像度マルチメディアインターフェース（ＨＤＭＩ）（例えば、映像録画機器のいずれか一つがＤＶＤである場合）にする。例えば、映像録画機器５０，６０のいずれか一方がＶＣＲで、他方がＤＶＤレコーダであれば、ＶＣＲには専用ケーブルを使用しなければならないが、ＤＶＤレコーダには専用ケーブルやＩＥＥＥ１３９４および高解像度マルチメディアインターフェース（ＨＤＭＩ）のうちのいずれか一つを選択的に接続することができる。ここで、ＩＥＥＥ１３９４および高解像度マルチメディアインターフェース（ＨＤＭＩ）ケーブルで接続されている場合には、映像機器と映像録画機器との間で双方向通信が可能であり、映像機器において映像録画機器のメーカーコード（Company code）等がわかるため、遠隔制御コードを出力する時に、映像録画機器から入力されたメーカコードに基づく、当該メーカーの制御コードを出力することになる。
【００５６】
なお、複数の映像録画機器５０，６０としては、通常のＶＴＲ、ＶＣＲ、ＤＶＤレコーダ、ＨＤＤ内蔵型ＤＶＤレコーダ、高容量録画ビデオレコーダ（Ｄ−ＶＨＳ機器）などの映像録画（記録）機器が該当する。
【００５７】
したがって、映像録画機器５０，６０に録画された放送番組は、その後、通信ケーブル３０，４０を介して映像機器１０のディスプレイ部１７へと送信され、ユーザは該ディスプレイ部１７から録画された放送番組を視聴することになる。
【００５８】
ここで、映像録画機器５０について簡単に説明する。図１に示すように映像録画機器５０は、無線受信部５１、インターフェース部５２、メモリ部５３及び制御部５４を含んで構成される。
【００５９】
無線受信部５１は、映像機器１０の無線送受信部１３から、該映像録画機器５０の遠隔制御に必要なコード（電源オンコード、録画開始コード、録画終了コードおよび電源オフコード）を順に受信し、これを制御部５４に伝送する。すると、制御部５４は、電源をオンし、その後にメモリ部５３（ビデオテープ、ＤＶＤ、ＨＤＤなど）に放送番組を録画し、録画終了後に電源をオフする。
【００６０】
図２は、本発明の第２実施形態に係る映像機器を説明するためのブロック図である。
【００６１】
図２に示すように、第２実施形態に係る映像機器の基本構成は、上記第１実施形態に係る映像機器の構成に類似している。
【００６２】
第２実施形態に係る映像機器１０は、チューナー１１、制御部１２、無線受信部１３ａ、映像デコーダ部１４、ＯＳＤ処理部１５、映像処理部１６、ディスプレイ部１７、インターフェース部１８およびメモリ１９を含んで構成される。
【００６３】
また、本実施形態では、映像機器１０のインターフェース部１８と映像録画機器５０のインターフェース部５２との間の通信ケーブル７０，８０が、双方向通信が可能なケーブル（例えば、ＩＥＥＥ１３９４、高解像度マルチメディアインターフェース（ＨＤＭＩ）のようなデジタルインターフェースケーブル）で構成された場合を示している。
【００６４】
このように双方向通信が可能なケーブル７０，８０で映像機器１０と映像録画機器５０，６０とを接続する本実施形態（第２実施形態）は、上記第１実施形態に対して、無線送受信部１３に代えて無線受信部１３ａとなっているという点と、メモリ１９が一つのメモリ部から構成されている点が異なる。すなわち、映像録画機器５０，６０別の遠隔制御に必要なコード（電源オン／オフコード、録画開始コードおよび録画終了コード等）をメーカー別にあらかじめ保存すると共に、ユーザにより選択された放送番組を予約録画するための予約録画情報（予約録画時間、予約録画チャネル等）と予約録画を行う予約録画機器５０，６０の優先順位とを一つのメモリ１９における異なるメモリ領域で管理するという点が異なる。
【００６５】
言い換えれば、双方向通信が可能な場合、通信ケーブル７０，８０を介して映像機器１０と映像録画機器５０との間でデータの送受信が可能なので、映像機器１０から遠隔制御に必要なコードを無線で送信する必要がなく、また、双方向通信を通じて映像録画機器のメーカーが確認できるため、選好度順等によって遠隔制御信号を伝送する必要がなくなり(すなわち、映像録画機器のメーカーのコードを伝送できるので)、不必要な信号（データ）伝送を低減することができる。
【００６６】
もちろん、映像録画機器５０，６０のうちのいずれか一つでもＶＣＲ専用ケーブルや、ＤＶＤ専用ケーブルのような一方向通信ケーブルで接続されているような場合には、無線受信部１３ａに代えて、図１に示す第１実施形態に係る映像機器のように無線送受信部１３で構成することが好ましい。 
【００６７】
図３は、本実施形態に係る映像機器を用いた予約録画方法を説明するためのフローチャートである。
【００６８】
本実施形態に係る予約録画方法は、図３に示すように、まず予約録画する放送番組の放送チャネルおよび放送時間を映像機器に保存する（Ｓ１００）。
【００６９】
続いて、映像機器に接続されている映像録画機器が２台以上あるか否かを判断する（Ｓ２００）。
【００７０】
Ｓ２００の判断の結果、映像機器と接続されている映像録画機器が２台以上あるときは、映像録画機器（録画経路）を選択し、その選択結果を保存する（Ｓ３００）。言い換えれば、映像録画機器には、通常のＶＣＲ、ＤＶＤレコーダ、ＨＤＤ内蔵型ＤＶＤレコーダ、高容量録画ビデオレコーダ（ＤＶＨＳ）などがあり、このような映像録画機器が２台以上映像機器に接続されている場合には、そのうち一つの映像録画機器（録画経路）を予約録画用の映像録画機器に設定する。
【００７１】
その後、映像機器の制御部では、予約録画時間（録画開始時刻）になったか否かを判断する（Ｓ４００）。
【００７２】
Ｓ４００の判断の結果、録画開始時刻になると、映像機器では映像録画機器に設定された優先順位に従ってメーカー別の映像録画機器の電源オン信号および録画開始信号を順に発生する（Ｓ５００）。例えば、メーカー別に制御コードを読み出して順に制御コードを出力する際に、映像録画機器の選好度（例えば、その国において多く販売された順序）を優先順位として電源オン信号および録画開始信号を順次発生させる。もちろん、映像機器と映像録画機器との間が、双方向通信が可能なケーブルで接続されているような場合には、該双方向通信ケーブルを介して映像録画機器が分かるので、それに該当する電源オン信号および録画開始信号を発生させる。
【００７３】
その後、映像機器の制御部は、録画終了時刻になったか否かを判断する（Ｓ６００）。
【００７４】
Ｓ６００の判断の結果、録画終了時刻になると、映像機器では映像録画機器に設定された優先順位に従ってメーカー別の映像録画機器の録画終了信号および電源オフ信号を順に発生する（Ｓ７００）。
【００７５】
図４は、図５に示す予約録画方法のうち、放送番組の予約方法を詳細に説明するためのフローチャートである。
【００７６】
本実施形態に係る放送番組の予約方法は、無線信号発生部２０を介して予約録画または番組ガイドメニュー（または、キー）を選択すると（Ｓ１１０）、電子番組ガイド（ＥＰＧ）が存在するか否か（利用できるか否か）を判断し（Ｓ１２０）、存在しない場合には、予約録画のためのオンスクリーン機能（Ｏｎ  Ｓｃｒｅｅｎ  Ｄｉｓｐｌａｙ）をディスプレイ上にオープンする。すなわち、予約録画画面を表示する（Ｓ１３０）。
【００７７】
続いて、予約録画を行う放送番組の放送チャネルおよび録画時間（放送開始時刻、放送終了時刻等）が入力され（Ｓ１４０）、これらの入力が完了するとその入力内容を保存し、ＯＳＤをクリアする。すなわち、予約録画画面を閉じる（Ｓ１５０）。
【００７８】
一方、Ｓ１２０において、電子番組ガイド（ＥＰＧ）が存在する（利用できる）場合には、ディスプレイ上に電子番組ガイド（ＥＰＧ）を表示する（Ｓ１６０）。
【００７９】
続いて、電子番組ガイド（ＥＰＧ）で予約録画番組を選択されると（Ｓ１７０）、その選択された内容を保存する（Ｓ１８０）。
【００８０】
図５は、図３に示す予約録画方法のうち、予約録画を行う映像録画機器の選択方法を詳細に説明するためのフローチャートであり、放送番組の予約（図４）が終了すると実施される
【００８１】
本実施形態に係る映像録画機器の選択方法は、映像機器に２台以上の映像録画機器が接続されている場合であって、映像録画ケーブルを参照して選択するか、映像録画機器を参照して選択するかを決定するためのＯＳＤ（画面）をディスプレイ上にオープンし、ユーザがどのような決定をしたかを判断する（Ｓ３１０）。
【００８２】
Ｓ３１０の判断の結果、ケーブルが選択された場合は、映像録画機器の専用ケーブルを選択するか、デジタルインターフェースを選択するかを決定するためのＯＳＤをディスプレイ上にオープンする（Ｓ３２０）。このような選択（決定）が行われる場合は、基本的には、例えば、映像録画機器がＶＣＲとＤＶＤであり、かつ、ＤＶＤがＩＥＥＥ１３９４または高解像度マルチメディアインターフェース（ＨＤＭＩ）のようなデジタルインターフェースケーブルで接続されているような場合である。但し、複数の映像録画機器がいずれも専用のケーブルで接続されている場合では、各映像録画機器のケーブル（例えば、ＶＣＲケーブル、ＤＶＤケーブル等）のうちのいずれか一つが選択されるようなＯＳＤをオープンさせるようにしてもよい。
【００８３】
一方、Ｓ３１０の判断の結果、映像録画機器が選択された場合は、ＶＣＲ、ＤＶＤのような映像録画機器の名称のうち一つが選択されるようなＯＳＤをオープンさせる（Ｓ３３０）。
【００８４】
続いて、ユーザが選択した映像録画機器と映像機器との間のケーブル接続状態が正常であるか否か判断する（Ｓ３４０）。
【００８５】
Ｓ３４０の判断の結果、ケーブル接続状態が正常でない場合には、ケーブル接続要求をディスプレイ上に表示する（Ｓ３５０）。
【００８６】
一方、ケーブル接続状態が正常である場合には、その選択内容、すなわち、予約した放送番組を録画するための経路（映像録画機器および通信ケーブルを意味する）を保存する（Ｓ４００）。
【００８７】
図６は、上記第２実施形態に係る映像機器（図２）を用いた放送番組の予約録画方法を説明するためのフローチャートである。
【００８８】
この放送番組の予約方法は、電子番組ガイド（ＥＰＧ）画面を用いるもので、まずは、ユーザによって電子番組ガイド（ＥＰＧ）が選択される（例えば、ＥＰＧキーが押されたり、メニューからＥＰＧが選択されたりする）（Ｓ１１００）。
【００８９】
すると、ＥＰＧ画面がオンスクリーンディスプレイ（ＯＳＤ）形態で、すなわち、オンスクリーン機能を有した状態でオープン（表示）される。そして、ユーザが予約視聴／予約録画を選択し、特定の放送番組を選択すると（Ｓ１２００）、予約視聴／予約録画のうちのいずれが選択されたかを判断する（Ｓ１３００）。
【００９０】
Ｓ１３００の判断の結果、予約視聴が選択されている場合には、該予約視聴を決定するか否かを確認するため、「はい」、「いいえ」のような形態でディスプレイ上に表示する（Ｓ１４００）。そして、ユーザが「はい」を選択した場合には、予約視聴に関する決定項目（予約視聴時間および放送チャネル）を保存する（Ｓ１５００）。
【００９１】
一方、Ｓ１３００において、予約録画が選択されている場合には、映像機器に接続された映像録画機器（例えば、ＶＣＲやＤＶＤ）または、予約録画を行う経路（通信ケーブルおよび映像録画機器）を選択させる画面をＯＳＤ形態で表示する（Ｓ１６００）。
【００９２】
Ｓ１６００の判断の結果、映像録画機器としてＶＣＲが選択された場合には、該ＶＣＲと映像機器との間の接続状態（接続）を確認し（Ｓ１７００）、ＶＣＲのメーカー別選好度による遠隔制御信号（無線コード）をソーティングする（Ｓ１９００）。
【００９３】
一方、Ｓ１６００の判断の結果、映像録画機器としてＤＶＤレコーダが選択された場合には、ＤＶＤレコーダと映像機器との間の接続状態（接続）を確認する（Ｓ１８００）。
【００９４】
続いて、選択された放送番組の予約録画情報（予約録画機器（録画経路）、予約録画チャネル、予約録画時間を含む詳細予約（後述の図９及び図１０参照））を保存する（Ｓ２０００）。
【００９５】
その後、映像機器の制御部は、現在の時刻が予約録画時間（録画開始時刻）になったか否かを判断する（Ｓ２１００）。
【００９６】
Ｓ２１００の判断の結果、現在の時刻が予約録画時間（録画開始時刻）になると、映像機器は、映像録画機器に設定された優先順位に従って、映像録画機器に電源をオンさせる電源オン信号および録画動作を開始させる録画開始信号をメーカー別に順次発生する（Ｓ２２００）。これは、映像機器と映像録画機器とが一方向通信ケーブルで接続されている場合に行われる。  
【００９７】
その後、映像機器の制御部は、現在の時刻が録画終了時刻になったか否か判断する（Ｓ２３００）。
【００９８】
Ｓ２３００の判断の結果、現在の時刻が録画終了時刻になると、映像機器は、映像録画機器に設定された優先順位に従って、映像録画機器に録画動作を終了させる録画終了信号および電源をオフさせる電源オフ信号をメーカー別に順次発生する（Ｓ２４００）。
【００９９】
図７は、図６に示す放送番組の予約録画方法のうち、映像録画機器がＶＴＲ（またはＶＣＲ）であるときのより詳細な予約録画方法を説明するためのフローチャートである。
【０１００】
かかる（ＶＴＲに対する）詳細予約録画方法は、次のようにして行われる。まず、映像録画機器の接続状態を確認し（図６のＳ１７００）、無線コードをソーティングした（図６のＳ１９００）後に、詳細予約画面（ここでは、ＶＴＲに関連する詳細予約画面）をディスプレイ上に表示する（Ｓ２０１０）。
【０１０１】
続いて、ユーザが詳細予約を行うか否かを判断する（Ｓ２０２０）。かかる判断は、例えば、詳細予約に関する画面をＯＳＤ形態でディスプレイ上に表示してこれに対する入力を確認することにより行う。
【０１０２】
Ｓ２０２０の判断の結果、詳細予約が行われない場合には、選択された放送番組は有料放送番組であるか否かを判断する（Ｓ２０３０）。
【０１０３】
Ｓ２０３０の判断の結果、選択された放送番組が有料放送番組でない場合には、選択された放送番組の予約録画情報を保存し（Ｓ２０４０）、予約完了をディスプレイ上に表示する（Ｓ２０９０）。
【０１０４】
一方、Ｓ２０２０の判断の結果、詳細予約が行われる場合か、Ｓ２０３０で選択された放送番組が有料放送番組と判断された場合には、選択可能なさまざまなアイテム（item）を追加するか否かを決定する（Ｓ２０５１）。
【０１０５】
このようなアイテム追加についてより詳細に説明すると、まず、映像、音声、確認に関するアイテムのうちのいずれか一つを選択する画面をＯＳＤ形態でディスプレイ上に表示する（Ｓ２０５１）。
【０１０６】
Ｓ２０５１において、「確認」が選択された場合、すなわち、ユーザが確認を選択した場合には、有料放送番組の購買を確認した場合であるか、あるいは、詳細予約をそれ以上行わないということであるので、予約完了をディスプレイ上に表示する（Ｓ２０９０）。
【０１０７】
一方、Ｓ２０５１において、「音声」が選択された場合には、主音声、副音声及び主／副音声のうちのいずれかを選択できる音声選択画面を表示し、（Ｓ２０５２）、その選択を一時的に保存する（Ｓ２０５６）。なお、副音声としては、複数の言語（英語、中国語、日本語、フランス語等）が該当する。
【０１０８】
また、Ｓ２０５１において、「映像」が選択された場合には、マルチビュー（Multi-view）が選択されたか否かを判断する（Ｓ２０５３）。なお、マルチビューとは、一つの放送番組に対して様々な角度（アングル）でそれぞれのカメラ（カメラ１、カメラ２‥‥カメラｎ）で撮影した画面が表示されることを意味する。
【０１０９】
Ｓ２０５３の判断の結果、マルチビューが選択された場合には、マルチビューに係るカメラのうちのいずれかを選択できるマルチビュー選択画面を表示し（Ｓ２０５４）、その選択結果を一時的に保存する（Ｓ２０５６）。
【０１１０】
また、Ｓ２０５３の判断の結果、マルチビューが選択されなかった場合には、主映像、副映像を選択できる映像選択画面を表示し（Ｓ２０５５）、その選択結果を保存する（Ｓ２０５６）。なお、現在のデジタル放送方式ではＳＤ級（標準解像度の）放送の場合には、３〜４個の放送が同時に送出できるので、副映像として、そのうち一つを選択することが考えられる。
【０１１１】
以上のような選択結果を一時的に保存した後（Ｓ２０５６）に、さらなるアイテムが追加されるか否か、すなわち、さらなる選択項目が追加されるか否か判断する（Ｓ２０６０）。
【０１１２】
Ｓ２０６０の判断の結果、さらなる選択項目が追加される場合には、映像アイテム（マルチビューや主映像、副映像）、音声アイテム（主音声、副音声、主／副音声）などの、新しい項目を追加することができる（Ｓ２０５０参照）。
【０１１３】
一方、Ｓ２０６０の判断の結果、さらなる選択項目が追加されない場合には、ＰＰＶ（Pay per view）決済が行われるか否かを判断する（Ｓ２０７０）。かかる判断は、例えば「はい」と「いいえ」を選択できる画面をＯＳＤ形態でディスプレイ上に表示することにより行う。
【０１１４】
Ｓ２０７０の判断の結果、ＰＰＶ決済が行われる場合（「はい」が選択された場合）には、一時的に保存された選択項目（Ｓ２０５６参照）および選択された放送番組の予約録画情報を保存する（Ｓ２０８０）。
【０１１５】
そして、その後、予約完了をディスプレイ上に表示する（Ｓ２０９０）。
【０１１６】
一方、Ｓ２０７０の判断の結果、ＰＰＶ決済が行われない場合（「いいえ」が選択された場合）には、ＥＰＧ画面をディスプレイ上に表示する（Ｓ１２００）。
【０１１７】
図８は、図６に示す放送番組の予約録画方法のうち、映像録画機器がＤＶＤレコーダであるときの詳細な予約録画方法を説明するためのフローチャートである。
【０１１８】
かかる（ＤＶＤに対する）詳細予約録画方法も、ＶＴＲ（またはＶＣＲ）の場合（図７）とほぼ同様である。ただし、映像録画機器の変更が項目として追加される（Ｓ２０７１）。ここでは、相違する部分である「映像録画機器の変更」についてのみ説明し、その他は省略する。
【０１１９】
図８において、詳細予約画面（ここでは、ＤＶＤレコーダに関連する詳細予約画面）をディスプレイ上に表示する（Ｓ２０１０）。次に、ユーザが詳細予約を行うか否かを判断し（Ｓ２０２０）、詳細予約を行う場合には、映像録画機器の変更を行うか否かを判断する（Ｓ２０７１）。そして、Ｓ２０７１の判断の結果、映像録画機器の変更が行われない場合（すなわち、「録画機器変更」が選択されない場合）には、図７で説明した選択アイテム（item）を追加するか否か判断することになる（Ｓ２０５０、図７参照）。
【０１２０】
一方、Ｓ２０７１の判断の結果、映像録画機器の変更が行われる場合（すなわち、「録画機器変更」が選択された場合）には、映像機器に現在接続されている他の映像録画機器（例えば、コンピュータ等）を検索し、これをディスプレイ上に表示する（Ｓ２０８１）。そして、ユーザがこの表示された映像録画機器のうちのいずれか一つを選択すると（Ｓ２０９１）、選択仕様によるアイテム（item）を追加するか否かが判断される（Ｓ２０５０）。その後は、図７と同様である。
【０１２１】
以上で説明した内容に基づき、当業者なら本発明の技術思想を逸脱しない範囲で様々な変更及び修正が可能である。したがって、本発明の技術的範囲は、上記の実施形態に記載された内容に限定されるものではなく、特許請求の範囲によって定められるべきである。
【図面の簡単な説明】
【０１２２】
【図１】本発明の第１実施形態に係る予約録画システム（映像機器および映像録画機器）を説明するためのブロック図である。
【図２】本発明の第２実施形態に係る予約録画システム（映像機器および映像録画機器）を説明するためのブロック図である。
【図３】第１実施形態に係る放送番組の予約録画方法を説明するためのフローチャートである。
【図４】図３に示す放送番組の予約録画方法のうち、放送番組の予約方法を詳細に説明するためのフローチャートである。
【図５】図３に示す放送番組の予約録画方法のうち、映像録画機器の選択方法を詳細に説明するためのフローチャートである。
【図６】第２実施形態に係る放送番組の予約録画方法を説明するためのフローチャートである。
【図７】図６に示す放送番組の予約録画方法のうち、映像録画機器がＶＴＲであるときの詳細な予約録画方法を説明するためのフローチャートである。
【図８】図６に示す放送番組の予約録画方法のうち、映像録画機器がＤＶＤであるときの詳細な予約録画方法を説明するためのフローチャートである。
【図９】一般のＴＶに表示されたＥＰＧ画面を示す図である。
【図１０】図９のＥＰＧ画面において特定チャネルが選択された時のＥＰＧ画面を示す図である
【符号の説明】
【０１２３】
１０    映像機器
１１    チューナー
１２，５４    制御部
１３    無線送受信部
１４    映像デコーダ部
１５    ＯＳＤ処理部
１６    映像処理部
１７    ディスプレイ部
１８，５２    インターフェース部
１９，５３    メモリ部
２０    無線信号発生部
３０，４０，７０，８０    通信ケーブル
５０，６０    映像録画機器
５１    無線受信部
【図１】
2006333476.tif 000003
【図２】
2006333476.tif 000004
【図３】
2006333476.tif 000005
【図４】
2006333476.tif 000006
【図５】
2006333476.tif 000007
【図６】
2006333476.tif 000008
【図７】
2006333476.tif 000009
【図８】
2006333476.tif 000010
【図９】
2006333476.tif 000011
【図１０】
2006333476.tif 000012